(57)【特許請求の範囲】
【請求項１】
入力部・診察券発行部・情報読取り部・診察券処理部及び出力部と、患者が所持する合成樹脂製カードと、前記診察券発行部から発行されかつ該合成樹脂製カードの一側面に貼り付けることができるシール状診察券本体を有する診察券との組み合わせから成る医療機関受付用診察券システムであって、前記合成樹脂カードは、日常生活で一般的に使用されるものであり、一方、前記診察券は、既存の診察券に代える為のものであり、前記合成樹脂性カードよりも面積が小さく、台紙と、該台紙から剥離可能な接着層を有する識別コードがそれぞれ付された複数の前記シール状診察券本体とから成り、前記シール状診察券本体の表面には、前記情報読取り部が読取ることが可能な患者の識別コード及びに当該役務を提供する者の識別情報とが設けられていることを特徴とする医療機関の受付用診察券システム。
【請求項２】
請求項１に於いて、合成樹脂製カードは、会員制や証明カード又はフェリカ（登録商標）、パスモ（登録商標）等の日常一般的に使用されていると共にユニークなＩＤチップを内蔵したＩＤカードのいずれかであることを特徴とする医療機関の受付用診察券システム。
【請求項３】
請求項１に於いて、情報読取り部は、患者又は受付者が合成樹脂製カードを持った状態で診察券本体の当該患者の識別コード並びに当該役務を提供する者の識別情報を非接触状態で読取ることを特徴とする医療機関の受付用診察券システム。
【請求項４】
請求項１に於いて、情報読取り部は、患者又は受付者が合成樹脂製カードを情報読取り部の挿入口に差し込むと、診察券本体の当該患者の識別コード並びに当該役務を提供する者の識別情報を読取ることを特徴とする医療機関の受付用診察券システム。
【発明の詳細な説明】
【技術分野】
【０００１】
本発明は、医療機関の受付用診察券システムに関する。
【背景技術】
【０００２】
特許文献１には、「受付窓口での受付順に必ずしも従うことなく、適宜申請人や顧客等を呼び出すことができると共に、交付すべき申請書類とその申請人または顧客等との本人一致を確実に確認することができるようにする（発明の課題）、受付処理装置が開示され、該受付処理装置は、連続番号を受付番号として表示するカード本体に、その受付番号とこれをコード化したコード番号とを併記する貼付シールを剥離自在に貼着してなる番号カード１０を、受付番号順に順次発行するカード発行機２と、受付窓口で受理された申請書類に貼付された貼付シールのコード番号を読み取るバーコードリーダー７と、バーコードリーダー７により読み取られたコード番号の受付番号を表示する呼出番号表示機６と、呼出番号表示機６に表示された受付番号を消去する交付テラーモニター８とを具備している（符号は特許文献１のもの）」が記載されている。
【０００３】
上記特許文献１に記載の受付処理装置は、例えば特許文献１の図２で示すように、陸運局の車検申請の際に、受付番号１０ｂを付した番号カード１０の上部に前記受付番号１０ｂやバーコードを有する合札としてのシールを貼り付けるものであり、（ａ）番号カード１０が紙類である点、（ｂ）シールは合札として使用される点、（ｃ）発明の課題が、陸運局の車検申請の際に、自己の書類を確認することである点等、本発明とは構成、課題等が著しく相違する。
【先行技術文献】
【特許文献】
【０００４】
【特許文献１】特開１０−１７７５９２号公報
【発明の概要】
【発明が解決しようとする課題】
【０００５】
本発明の所期の目的は、医療機関の受付用診察券システムに於いて、既存の診察券に代えて、日常生活で一般的に使用されている合成樹脂製カード及び安価なシール状診察券本体を利用することができる受付用診察券システムを提供することである。第２の目的は、所持する合成樹脂製カードが増えないと共に、診察券を忘れる事態を、可能な限り防止することができることである。その他の目的は、発明の効果によって特定され得る。
【課題を解決するための手段】
【０００６】
本発明の医療機関の受付用診察券システムは、入力部・診察券発行部・情報読取り部・診察券処理部及び出力部と、患者が所持する合成樹脂製カードと、前記診察券発行部から発行されかつ該合成樹脂製カードの一側面に貼り付けることができるシール状診察券本体を有する診察券との組み合わせから成る医療機関受付用診察券システムであって、前記合成樹脂カードは、日常生活で一般的に使用されるものであり、一方、前記診察券は、既存の診察券に代える為のものであり、前記合成樹脂性カードよりも面積が小さく、台紙と、該台紙から剥離可能な接着層を有する識別コードがそれぞれ付された複数の前記シール状診察券本体とから成り、前記シール状診察券本体の表面には、前記情報読取り部が読取ることが可能な患者の識別コード及びに当該役務を提供する者の識別情報とが設けられていることを特徴とする。
【０００７】
上記構成に於いて、合成樹脂製カードは、会員制や証明カード又はフェリカ（登録商標）、パスモ（登録商標）等の日常一般的に使用されていると共にユニークなＩＤチップを内蔵したＩＤカードのいずれかであることを特徴とする。
【０００８】
また、情報読取り部は、患者又は受付者が合成樹脂製カードを持った状態で該診察券本体の当該患者の識別コード並びに当該役務を提供する者の識別情報を非接触状態で読取ることを特徴とする。また情報読取り部は、患者又は受付者が合成樹脂製カードを情報読取り部の挿入口に差し込むと、該診察券本体の当該患者の識別コード並びに当該役務を提供する者の識別情報を読取ることを特徴とする。また、診察券発行部で発行される診察券は、台紙と、該台紙から剥離可能なプリクラ（登録商標）と同様のシール状診察券本体であることを特徴とする。さらに、情報読取り部の表示部は、タッチパネル方式の入力画面も兼用しており、当該患者の識別コードが有効である場合には、患者情報の確認画面が表れることを特徴とする。
【発明の効果】
【０００９】
（ａ）既存の診察券に代えて、日常生活で一般的に使用されている合成樹脂製カードを活用して安価なシール状診察券本体を利用することができる。
（ｂ）患者は、普段所持している自己のカード入れや財布等に入れてある所望の合成樹脂製カードに診察券本体を貼り付けることができるので、所持する合成樹脂製カードが増えないと共に、診察券を忘れる事態を、可能な限り防止することができる。
（ｃ）診察券本体はシールなので、既存の診察券を作成するよりも安価である。
（ｄ）診察券本体を既存の診察券に代えることができるので、自己のカード入れや財布等が、その分嵩張らない。
（ｅ）日常生活で一般的に使用されている合成樹脂製カードを活用するので、情報読取り部の表示画面に対して、患者又は受付者が合成樹脂製カードを持った状態で該診察券本体の当該患者の識別コードを非接触状態で又は情報読取り部の挿入口に差し込むによって、読取らせることができる。
（ｆ）実施形態によっては、当該患者を間違えないように確認をすることができる。
【図面の簡単な説明】
【００１０】
【図１】実施形態に係る受付用診察券システムの全体構成図。
【図２】診察券発行部で発行される診察券の一例を示す説明図。
【図３】診察券を構成する診察券本体を合成樹脂製カードの一側面に貼り付けた状態の説明図。
【図４】記憶部の情報の種類を示す概略説明図。
【図５】診察券の識別コードに関連付けられかつデータテーブル記憶部に記憶されているデータテーブルの概念構造図。
【図６】データテーブル記憶部に記憶されかつ診察券識別コードを関連付けることが可能な診療時間割表の概念構造図。
【図７】データテーブル記憶部に記憶されかつ診察券識別コードを関連付けられた詳細データの概念構造図。
【図８】表示部に表れる予約カレンダーの表示画面の一例を示す説明図。
【図９】情報読取り部の表示画面の一例を示す説明図。
【図１０】受付処理の動作フロー図。
【発明を実施するための最良の形態】
【００１１】
以下、本発明の実施形態を病院の診察券受付処理への適用を例にして、図面を参照しながら説明する。図１は実施形態に係る受付用診察券システムの全体構成図である。この図において、医療機関の一例である病院のフロント（受付）１には、キーボードやマウス等の操作部２および液晶ディスプレイ等の表示部３が設置されているとともに、シール状診察券本体４ａを有する診察券４を発行するための診察券発行部５と、少なくとも患者の識別コード１３を有する前記シール状診察券本体４ａの識別情報を読み取るための情報読取り部７が設けられている。
【００１２】
ここで、診察券４とは、サービス（役務）を提供する者（例えば当該病院、当該歯科院等）の診察券発行部５で発行するシール状の情報媒体で、該情報媒体４は、図２で示すように、台紙４ｂと、該台紙から剥離可能なプリクラ（登録商標）と同様のシール状診察券本体４ａとから成り、前記シール状診察券本体４ａは、例えば合成樹脂製カード１４よりも面積が小さいシールである共に、裏面に接着層１２を有し、表面に、少なくとも前記情報読取り部が読取ることが可能な当該患者の識別コード（識別情報）１３を有する。
実施形態の識別情報には、前記患者の識別コード１３と、当該患者の氏名（文字情報）１５と、当該役務を提供する者の氏名や名称（文字情報）１６が含まれている。
【００１３】
また前記合成樹脂製カード１４は、サービス（役務）の提供を受ける側（例えば患者Ｘ）が所持する合成樹脂製カードで、日常生活で一般的に使用されているものである。合成樹脂製カードの一例としては、普通一般に「会員券」と称されるカードのものである。また合成樹脂製カードの他例としては、ＵＩＤカードが存在する。ＵＩＤカードとは、周知のように、ＵＩＤコードやＩＤｍコードと呼ばれる、全地球規模のユニーク性（唯一無二であること。）が保証されたＩＤコードが書き込まれたＩＣチップ内蔵カード（単にＩＤカードということもある。）のことをいう。たとえば、我が国におけるＦｅｌｉｃａ（フェリカ、登録商標）カード、ＰＡＳＭＯ（パスモ、登録商標）カード等である。さらに、会員券に類似するポイントカード、諸外国におけるＭｉｆａｒｅ（マイフェア、登録商標）カード、各種の証明用カード等も、本実施形態の合成樹脂製カードの概念に含まれる。なお、各種の証明用カードには、例えば運転免許証、印鑑証明証、住基ネットカード等の証明用カード、及びこれに類するものが含まれる（特許の対象であれば、通達乃至法規違反如何は問わない）。
【００１４】
さて、フロント１に設置されている前記各部（操作部２、表示部３、診察券発行部５、情報読取り部７）は、フロント１または当該病院、当該歯科院内の任意場所（たとえば、事務室等）に設置された診察券処理部８に接続されている。
操作部２は、例えば顧客（患者）名として、患者Ａ、患者Ｂ、患者Ｃ等を設定するために用いられる。また、各患者に各々「０００１」、「０００２」、「０００３」………「０００ｎ」という識別コード１３（顧客コード或いは要因コード）を割り当てるために用いられる。その他色々な情報を入力するための入力手段として用いられる。
【００１５】
表示部３は診察券処理部８で処理された内容を表示する。表示部３は、例えば情報読取り部７がシール状診察券本体４ａに付された識別コード１３を読み取った際に、タッチパネル方式で該情報読取り部７の表示画面７ａから入力された入力情報（確認情報）を、診察券処理部８を介して表示する。また、操作部２によって入力された入力情報（更新情報）等も表示する。
【００１６】
診察券発行部５は、印刷機を含み、前述した診察券４を発行する。図１では説明の便宜上、１枚の診察券４のみを発行している態様を示しているが、もちろん、１枚の台紙４ｂの一側上面に連番方式の識別コード１３がそれぞれ付された複数枚のシール状診察券本体４ａを有する診察券４を発行することもできる。
【００１７】
この診察券処理部８は、コンピュータ（以下、ＣＰＵ９）を含むとともに、少なくとも、このＣＰＵ９で実行する制御プログラムを記憶したプログラム記憶部１０と、後述のデータテーブル（図５参照）を記憶したデータテーブル記憶部１１とを有して構成されており、プログラム記憶部１０に記憶された制御プログラムをＣＰＵ９で実行することにより、前記フロント１に設置されている各部（操作部２、表示部３、診察券発行部５、情報読取り部７）の動作を制御する。
【００１８】
付言すると、主制御部としてのＣＰＵ９は、ＯＳ等の制御プログラム及び所要データを格納する内部メモリを有する。また、前述した情報読取り部７も、それ自体独立した図示しないＣＰＵ、記億部、タッチパネル方式入力部、及び出力部を有するコンピータであり、本実施形態では、該情報読取り部７は、患者Ｘ又は受付者が合成樹脂製カード１４を持った状態で該診察券本体４ａの当該患者の識別コードを非接触状態で読取ると、その読取った情報を自己の表示画面７ａに表示すると共に、前述したように、表示画面７ａから入力された入力情報（確認情報）を、診察券処理部８に出力することができる。
【００１９】
なお、本発明の限定要件ではないが、該情報読取り部７を「ＬＡＮ方式」で診察券処理部８に繋げることができる。
【００２０】
プログラム記憶部１０に格納されているプログラムは、例えば当該病院仕様、或いはどの病院でも使用することができる標準仕様の受付乃至業務処理手順を規定したものである。
【００２１】
周知のように、プログラム記憶部１０は、ハードディスクやフレキシブルディスク、或いは光ディスク等のストレージ手段であり、本実施形態では、診察券本体４ａに対して割り当て診察券データテーブル（図５）を初めとし、予約に関する時間割情報ａ、患者（顧客）情報ｂ、会計情報ｃ等の必要な情報が前記患者情報ｂに対応して格納されている（図４）。
【００２２】
図５は、前述した診察券の識別コード１３に関連付けられ、かつデータテーブル記憶部１１に記憶されているデータテーブルの概念構造図である。この図において、診察券データテーブル１１Ａは、例えば行列方式のデータベーステーブルであり、各行（レコード）を複数のフィールド、すなわち、診察券本体ＩＤフィールド１１ａ、担当医フィールド１１ｂ、外科、内科等の案件フィールド１１ｃ、保険証の有効の有無フィールド１１ｄ、発行日フィールド１１ｅなどに分けている。
【００２３】
これらの各フィールドは、要因コードとしての患者情報ｂに記憶された各情報（患者名、担当医、医療内容、保険証の有効期間、診察券発行日）に対応し（関連付けら）ており、操作部１２の入力情報（患者名）に基づいて診察券４を１枚発行するたびに新規レコードを追加し（診察券４を発行する前に新規レコードを追加しても良い）、そのレコードの各フィールド１１ａ〜１１ｅに、発行された診察券本体４ａの識別コード１３等の情報（診察券本体４ａのＩＤ、担当医コード、案件番号、保険証有効期間、発行日）を格納するようになっている。
【００２４】
図６はデータテーブル記憶部１１に記憶され、かつ診察券識別コード１３を関連付けることが可能な診療時間割表２０の構造概念図である。この診療時間割表２０の予約順番は、原則として、患者本人の希望に基づき、かつ操作部２からの入力信号によって決定付けられる。もちろん、情報読取り部７からの患者確認信号に基づいて、順次、各時間帯に応じて決定付けることもできる。
【００２５】
また、図７はデータテーブル記憶部１１に記憶され、かつ診察券識別コード１３が関連付けられた詳細データの概念構造図である。さらに、図８は表示部３に表れる予約カレンダーの表示画面の一例を示す説明図である。
【００２６】
これらの図から明らかなように、診療時間割表２０の各行（レコード）には、診察券本体４ａの識別コード１３、「例えば午前９時の時間帯の第１番目に、０００１の識別コード」が入力されていることが判る。このように、診療時間割表の各行に発行済み診察券本体４ａの識別コード１３がそれぞれ随時入力される。
【００２７】
ところで、診察券処理部８は、特に図示しないが、診察券本体４の要因コード（識別コード）に基づいて、主データ（担当医コード）を蓄積する第１ファイル、前記主データから派生する複数の副データを派生要因別（患者名別、識別コード別）に蓄積する第２ファイル、該第２ファイルに格納されている前記派生要因別に前記要因コードを定め、これを副データが関連する前記要因コードを前記第１ファイルに格納しておく案件データ蓄積手段を備えている。
【００２８】
そこで、本実施形態では、前述したように、患者（顧客）名として、患者Ａ、患者Ｂ、患者Ｃ………患者ｎという要因コード（患者名、識別コード）を連番方式で割り当てると共に、患者情報ｂの識別コードを、患者テーブルの所定記憶エリアに各患者名と対応して格納する（図示せず）。
【００２９】
したがって、図４で示した時間割情報ａ及び会計情報ｃも、それぞれ要因コードに関連付けられて各記憶エリアの各行（レコード）に各患者名と対応して格納されている（図示せず）。
【００３０】
図９は入力機能を有する記情報読取り部７の表示画面７ａの一例を示す説明図である。また図１０は、診察券発行工程ステップＳ１及びカードに診察券本体を貼付ける工程ステップＳ２を含む受付処理の動作フロー図である。図１０は、特に診察券処理部８のＣＰＵ９で実行する制御プログラムのうち「受付処理」に関する部分の詳細フロー図の一例である。
【００３１】
図１０の於いて、まずステップＳ１は、サービスを提供する者（例えば病院１６）が、診察券発行部５でもって「診察券４」を発行する工程である。シール状診察券４ａは、一枚の台紙に１枚のみを発行すること、一枚の台紙に家族の人数分発行すること、一枚の台紙に９枚マトリックス状にそれぞれ連続番号を付されて発行すること等、様々な態様で発行することができる。この診察券４には、図２で示すように台紙４ｂの上面に剥離可能なシール状診察券本体４ａが設けられている。
【００３２】
ステップＳ２は、前記シール状診察券本体４ａを台紙４ｂから剥がし、患者の所持する合成樹脂製のカード、例えばある区の住民証明カードの一側面の適宜箇所に当該シール状診察券本体４ａを貼付ける工程である。前述したように、シール状診察券本体４ａは、裏面に接着層１２を有し、表面に、少なくとも患者の識別コード１３、不番の当該サービス提供者名（望ましくは患者名）及び当該病院名がそれぞれを印刷されている。もちろん、シール状診察券本体４ａには、商品、役務等の表示を適宜付すこともできる。
【００３３】
図３では、シール状診察券本体４ａを住民証明カード１４の略中央部に貼付けた状態を示しているが、実施化レベルでは、シール状診察券本体４ａの大きさは、プリクラ（登録商標）程度の大きさである。
【００３４】
Ｓｔｅｐ３は、当該病院での受付処理の開始である。この受付処理の開始は、初診又は再診のいずれであっても、予めシール状診察券本体４ａを有している患者であれば、誰でも可能である。
【００３５】
Ｓｔｅｐ４は、例えば再診の際、病院内の情報読取り部７で、合成樹脂製のカード１４の一側面に貼り付けけられた状態のシール状診察券本体４ａの患者の識別コード１３、患者名１５、役務提供者名１６を読取る。
【００３６】
Ｓｔｅｐ５は、情報読取り部７で患者の識別コード１３等を読み込んだ際、当該患者の識別コード１３等が当院の診察券あるか否かを判定し、当院の診察券でなければ、使用不可の間違った種類のカードであると判断してＳｔｅｐ４に戻るか又はプログラムを終了する。実施形態では、例えば当院の診察券本体でない場合には、Ｓｔｅｐ１に初期段階に戻るのが望ましい。
【００３７】
一方、ステップＳ５で当院の診察券である判定された場合にはステップＳ６に進み、該ステップＳ６では、当該識別コード１３の有効／無効判定処理を実行する。そして、当該識別コード１３が有効な診察券に該当する場合（ステップＳ７）には、情報読取り部７は当該患者情報の確認画面７ａを自己の表示部兼入力部に表示する（ステップＳ８）。
【００３８】
次に、ステップＳ９は、当該患者が視覚により或いは実施形態如何によっては音声により、識別コード及び患者名を「確認」する。当該患者又は受付業務の担当者が識別コード及び患者名を「確認」したならば、例えば情報読取り部７の表示画面７ａは初期画面に戻り、それと同時に診察券処理部８側の表示部３に、図６で示した診療時間割表２０が表れ、該診療時間割表２０の診療時間帯の各行に当該患者の識別コード（例えば０００１）を手動又は自動で予約として入れ、基本的な受付処理プログラムを終了する。なお、予約の概念には、当然、その場での受付も含まれる。
【００３９】
このようにして、当該患者の識別コードが診療時間割表２０に入力されると、その内容は、診察券識別コードを関連付けられた詳細データの表示画面２１（図７）や予約カレンダーの表示画面２２（図８）として確認することも可能である。
【００４０】
なお、このステップＳ３乃至ステップＳ１０は、あくまでも、本発明の技術的思想を理解するための一例であって、該一例に基づいて、発明の技術的範囲を解釈してはならない。
【実施例】
【００４１】
発明の実施の形態で示した実施形態に於いて、診察券発行部５から発行された診察券本体４ａの識別コード１３はアラビア数字であるが、もちろん、特許文献１の記載の如く「バーコード」であっても良い。
また、役務提供者の識別情報１６には、文字と共に識別コード（例えばＳ００１）を付しても良い。
【００４２】
したがって、図１に示した情報読取り部（情報読取手段）７には、機械装置等を使用して、文字が示す意味内容を一旦別の形（電流、磁力線、光線等）に変換し、変換されたものをなんらかのもの理的、化学的変化（例えば残留磁気、静電容量に関する誘導率の変化、電気抵抗の変化、光線の透過率の変化等）として貯えることによって記録する方法（つまり、各種のリーダ）が含まれる。
【産業上の利用可能性】
【００４３】
本発明は、主に診察券を利用する医療分野の業界で利用される。
【符号の説明】
【００４４】
Ｘ…患者、１…フロント（受付）、２…操作部、３…表示部、４…診察券（情報媒体）、４ａ…シール状診察券本体、４ｂ…台紙、５…診察券発行部、７…情報読取り部、７ａ…情報読取り部の表示画面、８…診察券処理部、９…診察券処理部のＣＰＵ、１０…プログラム記憶部、１１…データテーブル記憶部、１１Ａ…診察券データテーブル、ａ…時間割情報、ｂ…患者（顧客）情報、ｃ…会計情報、１２…接着層、１３…識別コード（識別情報）、１４…合成樹脂製カード、２０…診療時間割表、２１…詳細データの表示画面、２２…予約カレンダーの表示画面。
【図１】
0005659384.tif 000002
【図２】
0005659384.tif 000003
【図３】
0005659384.tif 000004
【図４】
0005659384.tif 000005
【図５】
0005659384.tif 000006
【図６】
0005659384.tif 000007
【図７】
0005659384.tif 000008
【図８】
0005659384.tif 000009
【図９】
0005659384.tif 000010
【図１０】
0005659384.tif 000011